(57)【要約】【課題】  ディスクなどの記録媒体を再生する際に音声フォーマットなどの再生設定が適切に行うことができる「ディスク再生装置及びその再生方法」を提供することである。【解決手段】  ディスクに記録されたコンテンツを再生する場合に、装着されたディスクについて、選択可能な設定をディスクより再生し、過去に同じディスクまたは類似したディスク名を有するディスクを再生させた際の再生設定が記憶されている場合に、その設定で再生を行い、再生設定が記憶されていない場合に、選択可能な再生設定の一覧を表示させる処理を行うようにした。【選択図】    図１
2009032345.tif 000002
【特許請求の範囲】
【請求項１】
ディスクに記録されたコンテンツを再生するディスク再生装置において、
ディスクのディスク名を取得するディスク名取得部と、
前記ディスクに記録されたコンテンツを再生する再生部と、
再生したディスク名とコンテンツの再生設定とを対応付けて記憶する記憶部と、
前記ディスク名取得部により取得されたディスク名と、部分一致または完全一致するディスク名が前記記憶部に記憶されていた場合、前記記憶部に記憶された再生設定で前記ディスクを再生制御する制御部とを、
備えたことを特徴とするディスク再生装置。
【請求項２】
前記再生設定は、再生させる音声フォーマット、音声言語、字幕のいずれか１つまたは組合せである、
ことを特徴とするディスク再生装置。
【請求項３】
ディスクに記録されたコンテンツを再生するディスク再生装置の再生方法において、
前記ディスクのディスク名を取得する第１ステップと、
前記ディスク名と部分一致または完全一致するディスク名が記憶されているか否か判定する第２ステップと、
前記ディスク名が記憶されていない場合、再生するディスク名とコンテンツの再生設定とを対応付けて記憶する第３ステップと、
前記ディスク名が記憶されていた場合、記憶された再生設定で前記ディスクを再生する第４ステップとを、
有することを特徴とするディスク再生装置の再生方法。
【発明の詳細な説明】
【技術分野】
【０００１】
本発明は、ディスク再生装置及びその再生方法であり、特に、ディスクに記録されたコンテンツの各種再生設定が可能なディスク再生装置及びその再生方法に関する。
【背景技術】
【０００２】
従来、ＤＶＤなどのディスクにおいては、映像プログラムによるコンテンツを記録する際に、音声データの記録フォーマットとして、複数種類のものの中から選ばれたものが記録できるようにしてあり、また、１つの映像プログラムに対して複数種類のフォーマットの音声データが記録されている場合もある。
【０００３】
例えば、ＤＶＤの場合の記録方式として、「Dolby Digital 5.1ch」と称される５．１チャンネルの記録方式と、「Dolby Digital 2.0ch」と称される２チャンネルの記録方式と、「dts 5.1ch」の記録方式などがある（各名称は登録商標）。また、同じ音声フォーマットであっても、言語の種類が異なる複数種類のものが記録されている場合もある。
【０００４】
このように複数種類の音声データが記録されている場合、ユーザが再生操作を行う毎に、そのときの再生環境などに適した最適な音声フォーマットを選択するのが好ましい。そのため、特許文献１には、ＤＶＤ再生装置の操作性を改善するために、例えばどの音声フォーマットを優先して選択するかを、予め再生装置に設定しておいて、その設定された優先順位に従って、装着されたディスクに記録された音声データのフォーマットの中から、優先順位が高いものを自動的に選ぶようにしたディスク再生装置が提案されている。また、特許文献２には、過去に再生したディスクの再生設定を記憶しておき、該ディスクが再び再生された際、記憶した再生設定を読み出して再生するディスク再生装置が提案されている。
【特許文献１】特開２００３−７０３６号公報
【特許文献２】特開２００５−１２９１７１号公報
【発明の開示】
【発明が解決しようとする課題】
【０００５】
ところが、ディスクに記録された映画などの映像プログラムを再生する際に、どの音声フォーマットを選ぶかは、本来は、そのときに再生する映像プログラムの内容などによってユーザが適切なものを選ぶのが好ましい。そのため、特許文献１に記載の再生装置では、映像プログラムの内容に関わらず再生装置に一律で設定された優先順位で再生させてしまい、必ずしも適切なフォーマットが選ばれているとは言えない状況が多々発生する。
【０００６】
また、特許文献２に記載のディスク再生装置では、映像プログラムの内容に応じた音声フォーマットで再生することが可能であるが、複数のディスクで構成された映画やドラマ、「○○ Episode１」、「○○ Episode2」等のシリーズ作品のディスクを再生する際は、ディスク再生するたびにディスク内容に応じた再生設定を必要としていた。
【０００７】
なお、ここでは音声フォーマットを再生時に選択する場合の問題について説明したが、例えばＤＶＤの場合には、字幕の言語についても複数種類用意されて、その用意された言語の中から必要なものを選んで再生させる処理などの各種再生設定が必要なものがあり、再生設定として選択可能な処理がある場合には、いずれの処理を行う場合にも同様の問題がある。
【０００８】
本発明はかかる点に鑑みてなされたものであり、複数のディスクで構成された映画やドラマのディスクなどを再生する際に再生設定が簡単に行えるようにすることを目的とする。
【課題を解決するための手段】
【０００９】
本発明は、ディスクに記録されたコンテンツを再生するディスク再生装置であり、ディスクのディスク名を取得するディスク名取得部と、前記ディスクに記録されたコンテンツを再生する再生部と、再生したディスク名とコンテンツの再生設定とを対応付けて記憶する記憶部と、前記ディスク名取得部により取得されたディスク名と、部分一致または完全一致するディスク名が前記記憶部に記憶されていた場合、前記記憶部に記憶された再生設定で前記ディスクを再生制御する制御部とを備えている。なお、前記再生設定は、再生させる音声フォーマット、音声言語、字幕のいずれか１つまたは組合せである。
【００１０】
本発明は、ディスクに記録されたコンテンツを再生するディスク再生装置の再生方法であり、前記ディスクのディスク名を取得する第１ステップと、前記ディスク名と部分一致または完全一致するディスク名が記憶されているか否か判定する第２ステップと、前記ディスク名が記憶されていない場合、再生するディスク名とコンテンツの再生設定とを対応付けて記憶する第３ステップと、前記ディスク名が記憶されていた場合、記憶された再生設定で前記ディスクを再生する第４ステップとを有している。
【発明の効果】
【００１１】
本発明によれば、過去に同じディスクまたは類似したディスク名を有するディスクを再生させたことがある場合には、その過去に再生させた際の再生設定を自動的に設定して再生することができ、ディスクに対する最適な再生設定が行えるようになる。
【発明を実施するための最良の形態】
【００１２】
図１は、本発明に係るディスク再生装置を示すブロック図である。このディスク再生装置１は、映像プログラムなどのコンテンツが記録されたディスク（記録媒体）を再生する装置であり、ここではディスクとしてＤＶＤを再生するものとする。スピンドルモータ３は、サーボ制御部５の制御により、この装置に装着されたディスクＤを回転駆動する。
【００１３】
サーボ制御部５は、ＲＦアンプ７より得られるディスクＤの再生結果に基づいてスピンドルモータ３の回転速度を制御し、これにより例えば線速度一定制御によりディスクＤを回転駆動する。また同様のＲＦアンプ７より得られるディスクＤの再生結果に基づいて、光学ピックアップ９をトラッキング制御、フォーカス制御し、またＣＰＵ１１により指示されるトラックに光学ピックアップ９をシークさせる。
【００１４】
光学ピックアップ９は、ディスクＤにレーザ光を照射して戻り光を受光し、受光結果を出力する。ＲＦアンプ７は、ＣＰＵ１１の制御により、この光学ピックアップ９から出力される受光結果を演算処理することにより、ディスクＤに形成されたピット列に応じて信号レベルが変化する再生ＲＦ信号を生成して信号処理部１３に出力し、また同様の処理による再生結果をサーボ制御部５に出力する。
【００１５】
信号処理部１３は、ＣＰＵ１１の制御により、ＲＦアンプ７から得られる再生信号ＲＦを２値識別して再生データを取得し、この再生データを誤り訂正処理、デインターリーブ処理することにより、ディスクＤに記録された各種データを再生する。
【００１６】
ＡＶ復号処理部１５は、ＣＰＵ１１の制御により、このようにして信号処理部１３で再生される各種のデータより、所定のビデオデータ、オーディオデータを選択的に入力してデコードし、デコード結果を外部機器に出力する。これによりディスク再生装置１では、別体のモニタ装置（テレビジョン受像機など）１６にビデオデータを出力して、このモニタ装置１６の表示部１７に、ディスクＤに記録されたビデオデータを表示させる。ここで、ＡＶ復号処理部１５では、ＣＰＵ１１の制御により、例えば字幕を表示させるためのキャラクタデータや副ビデオデータを、メインのビデオデータと合成して出力し、これにより字幕を表示するようになされている。
【００１７】
また、オーディオデータについては、ＡＶ復号処理部１５内で、そのときの音声再生フォーマットに従ったデコード処理を行い、そのデコード処理されたオーディオデータをチャンネル毎にアナログ変換して、変換されたオーディオ信号をモニタ装置１６に供給する。ＡＶ復号処理部１５での音声再生フォーマットなどの種類の選択は、ＣＰＵ１１の制御で設定される。
【００１８】
モニタ装置１６内では、アンプ１９によりこのオーディオ信号でスピーカ２１を駆動する信号とし、ディスクＤに記録された各種のオーディオ信号を出力させる。スピーカ２１として、マルチチャンネルオーディオの再生に対応したものである場合には、多数のスピーカが用意されている場合もある。この場合、一部（又は全て）のスピーカがモニタ装置１６と別体で構成されても良い。なお、ディスク再生装置１内のＡＶ復号処理部１５での復号処理は、モニタ装置１６側で行うか、或いはディスク再生装置１とモニタ装置１６との間に接続された別の復号装置で行うようにしても良い。
【００１９】
操作部２３は、このディスク再生装置１の本体、又はリモートコントロール装置に設けられたキーなどの操作手段であり、図示しないインターフェースを介してユーザによる操作をＣＰＵ１１に通知する。
【００２０】
記憶部２５は、このディスク再生装置１により過去に再生したディスクＤのディスク名と再生設定（音声再生フォーマット、字幕）とを対応付けて記憶する。記憶部２５としては、不揮発性メモリを使用するのが好ましい。これによりこのディスク再生装置１では、この記憶を参考にして、音声再生フォーマット、字幕などの再生設定を行い、ディスクＤを視聴できるようにしてある。なお、ディスクＤの再生設定を記憶する記憶領域に空きがなくなった場合には、例えば、最も前に記憶させた情報から消去して、新たなディスクの再生情報を記憶させるようにすれば良い。
【００２１】
ＣＰＵ１１は、このディスク再生装置１に搭載されてなるマイクロコンピュータであり、事前にインストールされたプログラムによる所定の処理手順を実行することにより、ユーザによる操作に応じて各部の動作を制御し、ディスクＤを再生する。この処理において、ＣＰＵ１１は、ディスクＤに記録された各種の管理情報を、記憶部２５が記憶した過去に再生したディスクＤのディスク名及び再生設定を参考に判断し、音声再生フォーマットや字幕の表示等を設定する。なお、このＣＰＵ１１のプログラムにおいては、事前のインストールに代えて、インターネット等のネットワーク等を介してダウンロードしたプログラムのインストールにより、さらには各種の記録媒体により提供されるプログラムのインストールにより、提供することができる。
【００２２】
図２は、本例のディスク再生装置１で再生を行うＤＶＤフォーマットのディスクのボリューム空間の構造を示す図である。ＤＶＤディスクにおいては、図２（Ａ）に示すように、リードインエリア側より、ボリュームファイル構造領域、ＤＶＤ−ビデオ領域、他の記録領域が順次設けられている。ここで、ボリュームファイル構造領域には、ＵＦＤ（Universal Disk Format）及びＩＳＯ９６６０による管理領域が記録される。これによりＤＶＤディスクにおいては、このボリュームファイル構造領域の記録によりディスク固有の識別コードであるディスクＩＤ及びディスク名を取得できるようになされ、さらには続くＤＶＤ−ビデオ領域に記録されたビデオデータ、オーディオデータを再生できるようになされている。ＤＶＤ−ビデオ領域には、管理情報と共に、ビデオデータ及びオーディオデータが記録される。また他の記録領域は、必要に応じて設けられ、ＤＶＤ−ビデオ領域に記録したビデオデータ及びオーディオデータの再生等で利用可能な各種情報が記録されている。
【００２３】
図２（Ｂ）に示すように、ＤＶＤ−ビデオ領域においては、ビデオデータ及び対応するオーディオデータの組によるビデオタイトルセットＶＴＳ＃１、ＶＴＳ＃２、‥‥、ＶＴＳ＃ｎが順次記録されてビデオデータ及びオーディオデータが記録され、これらビデオタイトルセットＶＴＳ＃１、ＶＴＳ＃２、‥‥、ＶＴＳ＃ｎの先頭にビデオマネージャＶＭＧが記録される。
【００２４】
ここでビデオマネージャＶＧＭは、ビデオタイトルセットＶＴＳ＃１、ＶＴＳ＃２、‥‥、ＶＴＳ＃ｎを管理するＤＶＤ再生装置用の管理情報であり、図２（Ｃ）に示すように、ビデオマネージャ情報ＶＭＧＩ、ビデオマネージャ用ビデオオブジェクトセット（ＶＯＢＳ）、ビデオマネージャ情報ＶＭＧＩのバックアップ情報が順次記録されて形成される。ここでビデオマネージャ情報ＶＭＧＩは、各ビデオタイトルセットＶＴＳ＃１、ＶＴＳ＃２、‥‥、ＶＴＳ＃ｎの再生に必要な情報が割当てられ、ビデオマネージャ用ビデオオブジェクトセットには、ビデオマネージャ情報ＶＭＧＩの内容に対応して、メニュー等の表示、選択に供するビデオデータ等によりビデオオブシェクトが順次割当てられるようになされている。
【００２５】
即ち、図２（Ｄ）に示すように、ビデオマネージャ情報ＶＭＧＩは、ビデオマネージャ情報ＶＭＧＩを管理するビデオマネージャ情報管理テーブル、各種ビデオタイトルセットＶＴＳ＃１、ＶＴＳ＃２、‥‥、ＶＴＳ＃ｎの頭出し用の情報であるサーチポインタを割当てたサーチポインタテーブル（タイトルＳテーブル）、各ビデオタイトルセットＶＴＳ＃１、ＶＴＳ＃２、‥‥、ＶＴＳ＃ｎの属性情報を割当てたビデオタイトルセット属性テーブル、ビデオマネージャ用ビデオオブジェクトセットのサーチポインタ等を割当てビデオマネージャメニューＰＣＧＩユニットテーブル、各ビデオタイトルセットＶＴＳ＃１、ＶＴＳ＃２、‥‥、ＶＴＳ＃ｎのパレンタルの情報を割当てたパレンタル情報テーブルにより形成されるようになされている。
【００２６】
これらのサーチポインタテーブルは、図２（Ｅ）に示すように、サーチポインタテーブル全体の情報であるタイトルサーチポインタテーブル情報と、各ビデオタイトルセットＶＴＳ＃１、ＶＴＳ＃２、‥‥、ＶＴＳ＃ｎのサーチポインタが割当てられている。これによりＤＶＤディスクにおいては、記録されたコンテンツについて、総タイトル数を検出できるようになされている。
【００２７】
ビデオマネージャメニューＰＣＧＩユニットテーブルには、図２（Ｆ）に示すように、ビデオマネージャメニューＰＣＧＩユニットテーブル全体の管理情報であるビデオマネージャメニューＰＣＧＩユニットテーブル情報、所定個数のビデオマネージャメニュー言語ユニットサーチポインタ及びビデオマネージャメニュー言語ユニットにより形成される。ここで、これらビデオマネージャメニュー言語ユニットサーチポインタ及びビデオマネージャ言語ユニットは、ビデオマネージャ用ビデオオブジェクトセットに割当てられた各言語によるビデオオブジェクトに対応して設けられ、各言語によるビデオオブジェクトの言語コード、スタートアドレスがビデオマネージャメニュー言語サーチポインタに割当てられるようになされている。これにより再生装置では、言語選択のメニュー画面を表示させることができる。
【００２８】
また、図２では示していないが、ビデオタイトルセット情報として、ビデオタイトルセットの再生に必要な情報が割当ててある。具体的には、例えば、対応するビデオタイトルセットについて、ビデオタイトルセットを特定するビデオタイトルセット識別子、サイズ、対応するＤＶＤビデオ規格、カテゴリ等が割当てられ、さらにその下位のデータで、ビデオデータの属性、対応するオーディオデータのストリーム数、属性、副映像を構成するビデオデータのストリーム数、属性が順次割当てられるようになされている。これらにより、再生装置では、各タイトルを構成するオーディオストリーム数、オーディオストリームの記録フォーマット、副映像ストリーム数などを検出することができる。ディスクに記録されたオーディオデータの記録フォーマットを検出することで、再生する際のオーディオフォーマットを選択するためのメニュー画面を表示させることが可能になる。
【００２９】
ディスク再生装置１のＣＰＵ１１は、このようにしてディスクに記録されてなる各種の管理情報に基づいて、各部の動作を制御してディスクを再生する。図３は、このディスクの再生に係るＣＰＵ１１の処理手順を示すフローチャートである。ＣＰＵ１１は、電源が立ち上げられると、ディスクが装填されたか否か判断する（ステップＳ１）。ここで、ディスク装填の判断は次のようにして行う。まず、ＣＰＵ１１は、操作部２３の操作に応じて、図示しないトレイ可動機構を可動することにより、ディスクを装着するトレイを出し入れする。また、このトレイを収納した際に、トレイに設けられた開口を介して図示しない光源よりディスクに光を照射して得られる戻り光の有無により、又は光学ピックアップ９よりレーザ光を照射してフォーカスサーチの処理を実行して得られる処理結果より、ディスクの有無を検出し、これによりディスクの装填を検出する。ステップＳ１により、ディスクが装填されていないと判断されると、ＣＰＵ１１は、ユーザの操作によりディスクが装填されるまで待機する。一方、ステップＳ１により、ディスクが装填されたと判断されると、ディスクからディスク固有のＩＤを再生すると共に、そのディスクに記録されているディスク名及び音声フォーマットなどの音声記録に関する情報を取得する（ステップＳ３）。そして、ＣＰＵ１１は、ステップＳ３により取得したディスク名と部分一致または完全一致するディスク名が記憶部２５に記憶されているか否か判断する（ステップＳ５）。ここで、取得したディスク名と部分一致または完全一致するディスク名が記憶部２５に記憶されている場合には、そのディスク名についての再生設定の情報を記憶部２５から読出し、その読出した再生設定を、このときのディスク再生の再生条件として設定させる（ステップＳ７）。ここでは、再生設定として、音声フォーマットに関する情報を読出して、その音声フォーマットのデータを再生して出力させるように設定する。
【００３０】
また、ステップＳ５において、取得したディスク名と部分一致または完全一致するディスク名が記憶部２５に記憶されていないと判断した場合には、このとき装填されたディスクに記録されている音声フォーマットの一覧を表示させる（ステップＳ９）。図４は、音声フォーマットの選択画面の例を示したものである。この例では、「dts 5.1ch」との表示Ａと、「Dolby Digital 5.1ch」との表示Ｂと、「Dolby Digital 2.0ch」との表示Ｃとが行われて、これら３種類の音声フォーマットが記録されていることを示している。そして、選択される音声フォーマットを示すカーソルＸについても表示させるようにしてある。なお、記録された音声フォーマットが２種類である場合には、この選択画面で、該当する２種類だけを表示させる。また、同じ音声フォーマットで、原語による音声と、吹き替えによる音声のように、２種類の音声が記録されている場合には、それぞれの種類についても一覧中に表示させる。
【００３１】
このように表示された状態で、ユーザが操作部２３を介した操作などを行って、選択される音声フォーマットを示すカーソルＸが表示される位置を選んだ後、確定操作を行うことで、音声フォーマットが選択できる。即ち、ステップＳ１１において、ユーザ選択操作があるか否か判断し、選択操作があるとステップＳ１３に移り、その選択が「dts 5.1ch」であるか否か判断し、該当する音声フォーマットの選択である場合に、「dts 5.1ch」の音声データの再生を行って、該当するフォーマットのデコードを行うように設定する（ステップＳ１５）。また、ステップＳ１３で「dts 5.1ch」の選択でないと判断した場合には、ステップＳ１７に移り、その選択が「Dolby Digital 5.1ch」であるか否か判断し、該当する音声フォーマットの選択である場合に、「Dolby Digital 5.1ch」の音声データの再生を行って、該当するフォーマットのデコードを行うように設定する（ステップＳ１９）。さらに、ステップＳ１７で「Dolby Digital 5.1ch」の選択でないと判断した場合には、ステップＳ２１に移り、その選択が「Dolby Digital 2.0ch」であるか否か判断し、該当する音声フォーマットの選択である場合に、「Dolby Digital 2.0ch」の音声データの再生を行って、該当するフォーマットのデコードを行うように設定する（ステップＳ２３）。
【００３２】
これらの選択がない場合には、ステップＳ１１の判断を行って待機する。なお、ステップＳ９で再生可能な音声フォーマットの一覧を表示させてから、ステップＳ１１でのユーザ選択がある程度の時間以上ない場合には、この再生装置に予め決められた音声フォーマットをＣＰＵ１１が自動的に選ぶようにしても良い。
【００３３】
そして、ステップＳ１５，Ｓ１９，Ｓ２３での音声フォーマットの設定が行われると、そのときに再生設定した音声フォーマットを、そのディスクのディスク名と対応させて、記憶部２５に記憶させる（ステップＳ２５）。その後、設定された音声フォーマットの音声データを再生に使用して、コンテンツの再生を行い、そのコンテンツの再生が終了すると、このときの処理を終了する（ステップＳ２７）。
【００３４】
このようにしてディスク再生時に音声フォーマットを選択する処理が実行されることで、例えば、過去に同じディスクまたは類似したディスク名を有するディスクを再生させたことがある場合には、その過去に再生させた際の再生設定を自動的に設定して再生することができ、ディスクに対する最適な再生設定が行えるようになる。
【００３５】
なお、記憶部２５に音声フォーマットが記憶されているディスクであっても、メニュー画面などから音声の選択画面を表示させて、音声フォーマット（又は種類）を選ぶ操作を行うことで、そのとき選ばれたフォーマットでの再生が行えると共に、記憶部２５の記憶データを更新させて、以後にそのディスクが装填されたときに選ばれる音声フォーマットについても変更させることが可能である。
【００３６】
また、ここまでの説明では、音声フォーマットを選択する場合の処理について説明したが、再生される音声の言語を選ぶ処理や、再生される映像に表示される字幕の言語などの、その他の再生設定を選ぶ処理を、同様の処理で行うようにしても良い。この場合、ステップＳ９において、図４の音声フォーマット設定画面に変わり、図５、６に示すような言語設定画面や字幕設定画面が表示される。
【００３７】
また、上述した実施の形態では、ＤＶＤフォーマットのディスクを再生する専用の構成の再生装置を用意して、その再生装置での再生が上述したように処理させるように構成したが、例えば、本発明の処理を行うプログラムを用意して、そのプログラムを、パーソナルコンピュータ装置にインストールして、そのパーソナルコンピュータ装置に接続されたディスクドライブで、ＤＶＤディスクなどの再生を行う際に、同様の処理を行うようにしても良い。
【００３８】
さらに、本発明の処理は、ＤＶＤ規格のディスクの再生に限定されるものではなく、その他の各種規格のディスクや、ディスク以外の記録媒体に記録された各種コンテンツを再生する場合の処理にも適用可能であることは勿論である。
【図面の簡単な説明】
【００３９】
【図１】本発明に係るディスク再生装置のブロック図である。
【図２】本発明の一実施の形態によるディスクのデータ構造例を示した説明図である。
【図３】本発明の一実施の形態による処理例を示したフローチャートである。
【図４】本発明の一実施の形態による音声フォーマット設定画面の例を示した説明図である。
【図５】本発明の一実施の形態による言語設定画面の例を示した説明図である。
【図６】本発明の一実施の形態による字幕設定画面の例を示した説明図である。
【符号の説明】
【００４０】
１      ディスク再生装置
１１    ＣＰＵ
１３    信号処理部
１７    表示部
２３    操作部
２５    記憶部
【図１】
2009032345.tif 000003
【図２】
2009032345.tif 000004
【図３】
2009032345.tif 000005
【図４】
2009032345.tif 000006
【図５】
2009032345.tif 000007
【図６】
2009032345.tif 000008